(57)【要約】      （修正有）【課題】清掃機能の更なる向上を実現できる清掃用シートを提供すること。【解決手段】清掃用シート１００は、第１シート１と、第２シート２−１、２−２と、第３シート３とを備え、第１シート１と第３シート３とが、第２シート２−１、２−２を介して積層されてなり、第２シート２−１、２−２が、対向する第１辺Ｈ１−１、Ｈ１−２及び第２辺Ｈ２−１、Ｈ２−２と、対向する第３辺Ｈ３及び第４辺Ｈ４とを有し、第１辺Ｈ１−１、Ｈ１−２と第２辺Ｈ２−１、Ｈ２−２とが、第１シート１の外側及び第３シート３の外側まで延在して、第３辺Ｈ３と第４辺Ｈ４とが、第１シート１の外側及び第３シート３の外側に設けられている。【選択図】図１
0003232078.tif 000002
【実用新案登録請求の範囲】
【請求項１】
第１シートと、第２シートと、第３シートとを備え、
該第１シートと該第３シートとが、該第２シートを介して積層されてなり、
該第２シートが、平面視で、対向する第１辺及び第２辺と、対向する第３辺及び第４辺とを有し、
該第１辺と該第２辺とが、該第１シートの外側及び該第３シートの外側まで延在して、該第３辺と該第４辺とが、該第１シートの外側及び該第３シートの外側に設けられている、清掃用シート。
【請求項２】
前記第２シートが、前記第３辺及び前記第４辺に対して略平行の方向に分離されて、２つのシート片を有し、
該第１シートの一部と該第３シートの一部とが、該第２シートを介さないで積層され、
該第１シートの一部と該第３シートの一部とが、前記２つのシート片のそれぞれを介して積層されている、請求項１に記載の清掃用シート.
【考案の詳細な説明】
【技術分野】
【０００１】
本考案は、清掃用シートに関する。
【背景技術】
【０００２】
従来から、フローリングなどに付着したゴミ、埃を拭い取る道具として、清掃機能のあるシートが用いられている（例えば、特許文献１を参照。）。
【先行技術文献】
【特許文献】
【０００３】
【特許文献１】特開２０１０−１２５２３４号公報
【考案の概要】
【考案が解決しようとする課題】
【０００４】
しかしながら、特許文献１で提案された技術では、更なる清掃機能の向上が図れないおそれがある。
【０００５】
そこで、本考案は、このような状況を鑑みてなされたものであり、清掃機能の更なる向上を実現できる清掃用シートを提供することを主目的とする。
【課題を解決するための手段】
【０００６】
本考案者は、上述の目的を解決するために鋭意研究を行った結果、驚くべきことに、清掃機能の更なる向上を実現できることに成功し、本考案を完成するに至った。
【０００７】
すなわち、本考案は、第１シートと、第２シートと、第３シートとを備え、該第１シートと該第３シートとが、該第２シートを介して積層されてなり、該第２シートが、対向する第１辺及び第２辺と、対向する第３辺及び第４辺とを有し、該第１辺と該第２辺とが、該第１シートの外側及び該第３シートの外側まで延在して、該第３辺と該第４辺とが、該第１シートの外側及び該第３シートの外側に設けられている、清掃用シートを提供する。
【０００８】
本考案に係る清掃用シートにおいて、前記第２シートが、前記第３辺及び前記第４辺に対して略平行の方向に分離されて、２つのシート片を有していてもよく、該第１シートの一部と該第３シートの一部とが、該第２シートを介さないで積層されていてもよく、該第１シートの一部と該第３シートの一部とが、前記２つのシート片のそれぞれを介して積層されていてもよい。
【考案の効果】
【０００９】
本考案によれば、清掃機能の更なる向上が実現され得る。
【図面の簡単な説明】
【００１０】
【図１】図１は、本考案に係る清掃用シートの平面図である。
【図２】図２は、本考案に係る清掃用シートの平面図である。
【図３】図３は、本考案に係る清掃用シートの断面図である。
【図４】図４は、本考案に係る清掃用シートの断面図である。
【考案を実施するための形態】
【００１１】
本考案に係る清掃用シートについて、図１〜図４を用いて説明する。
【００１２】
図１は、本考案に係る清掃用シートの平面図であり、より具体的には、清掃シート１００（いわゆる２層構成の清掃シート）の平面図である。
【００１３】
図２は、本考案に係る清掃用シートの平面図であり、より具体的には、清掃シート２００（いわゆる３層構成の清掃シート）の平面図である。
【００１４】
図３及び図４は、本考案に係る清掃用シートの断面図であり、より詳しくは、図３は、清掃シート１００（いわゆる２層構成の清掃シート）の断面図であり、図４は、清掃シート２００（いわゆる３層構成の清掃シート）の断面図である。
【００１５】
まず、図１及び図３を用いて説明する。
【００１６】
清掃シート１００（いわゆる２層構成の清掃シート）は、第１シート１と、第２シート２と、第３シート３とを備えている。清掃シート１００はドライシート（流動パラフィン等を含んでもよい。）でもよいし、精製水、エタノール、洗浄剤、パラベン、香料等を含ませたウェットシートでもよい。
【００１７】
清掃シート１００がドライシートの場合は、第１シート１を構成する材料（材質）は、例えば、ポリエステル等が挙げられる。第２シート２（後述のシート片２−１及び２−２）を構成する材料（材質）は、例えば、ポリプロピレン（ＰＰ）／ポリエチレン（ＰＥ）等が挙げられる。第３シート３を構成する材料（材質）は、例えば、ポリエステル等が挙げられる。
【００１８】
清掃シート１００がウェットシートの場合は、第１シート１を構成する材料（材質）は、例えば、レーヨン／ポリエステル等が挙げられる。第２シート２（後述のシート片２−１及び２−２）を構成する材料（材質）は、例えば、レーヨン／ポリエステル等が挙げられる。第３シート３を構成する材料（材質）は、例えば、レーヨン／ポリエステル等が挙げられる。
【００１９】
第２シート２は、第１シート１の第３辺及び第４辺に対して略平行の方向に分離された、２つのシート片２−１及び２−２から構成されている。
【００２０】
第２シート２は、平面視で（第２シートの上方からの平面視でもよいし、第２シートの下方からの平面視でもよい。）、対向する第１辺Ｈ１及び第２辺Ｈ２と、対向する第３辺Ｈ３及び第４辺Ｈ４とを有している。なお、シート片２−１は、第１―１辺Ｈ１−１と第２―１辺Ｈ２−１と第３辺Ｈ３とを有し、シート片２−２は、第１―２辺Ｈ１−２と第２―２辺Ｈ２−２と第４辺Ｈ４とを有している。そして、第１辺Ｈ１は、第１―１辺Ｈ１−１と、第１−２辺Ｈ１−２とから構成され、第２辺Ｈ２は、第２−１辺Ｈ２−１と、第２−２辺Ｈ２−２とから構成されている。第１辺Ｈ１と第２辺Ｈ２とが、第１シート１の外側及び第３シート３の外側まで延在して、第３辺Ｈ３と第４辺Ｈ４とが第１シート１の外側及び第３シート３の外側に設けられている。
【００２１】
図３に示されるように、第１シート１の一部と第３シート３の一部とが、２つのシート片２−１及び２−２を介さないで積層され、第１シート１の一部と第３シート３の一部とが、２つのシート片２−１及び２−２のそれぞれを介して積層されている、なお、清掃シート１００は、第１シート１と第３シート３との２層の積層構造であって、清掃シート１００に、第１シート１の左端部と第３シート３との左端部との間にシート片２−１が配されて、第１シート１の右端部と第３シート３との右端部との間にシート片２−２が配されているという見方もできる。
【００２２】
次に、図２及び図４を用いて説明する。
【００２３】
清掃シート２００（いわゆる２層構成の清掃シート）は、第１シート１と、第２シート２と、第３シート３とを備えている。第１シート１と第３シート３とは、第２シート２を介して積層されている。清掃シート２００はドライシート（流動パラフィン等を含んでもよい。）でもよいし、精製水、エタノール、洗浄剤、パラベン、香料等を含ませたウェットシートでもよい。
【００２４】
清掃シート２００がドライシートの場合は、第１シート１を構成する材料（材質）は、例えば、ポリエステル等が挙げられる。第２シート２を構成する材料（材質）は、例えば、ポリプロピレン（ＰＰ）／ポリエチレン（ＰＥ）等が挙げられる。第３シート３を構成する材料（材質）は、例えば、ポリエステル等が挙げられる。
【００２５】
清掃シート２００がウェットシートの場合は、第１シート１を構成する材料（材質）は、例えば、レーヨン／ポリエステル等が挙げられる。第２シート２を構成する材料（材質）は、例えば、レーヨン／ポリエステル等が挙げられる。第３シート３を構成する材料（材質）は、例えば、レーヨン／ポリエステル等が挙げられる。
【００２６】
第２シート２は、平面視で（第２シートの上方からの平面視でもよいし、第２シートの下方からの平面視でもよい。）、対向する第１辺Ｈ１及び第２辺Ｈ２と、対向する第３辺Ｈ３及び第４辺Ｈ４とを有している。第１辺Ｈ１と第２辺Ｈ２とが、第１シート１の外側及び第３シート３の外側まで延在して、第３辺Ｈ３と第４辺Ｈ４とが第１シート１の外側及び第３シート３の外側に設けられている。
【符号の説明】
【００２７】
１・・・第１シート、
２・・・第２シート、
２−１、２−２・・・第２シートのシート片、
３・・・第３シート、
１００、２００・・・清掃用シート。
【図１】
0003232078.tif 000003
【図２】
0003232078.tif 000004
【図３】
0003232078.tif 000005
【図４】
0003232078.tif 000006